(57)【特許請求の範囲】
【請求項１】
布帛を所定の形状に裁断した布帛片を縫製してなる布帛製品であって、
前記布帛片は、寝袋を構成し、
前記寝袋は、ユーザが着用した際に、
前記ユーザの身体を収納する室内を形成する本体と、
前記本体に設けられ、前記ユーザの頭を覆うと共に顔を露出させる開口が形成されたフード部と、
前記本体に設けられ、前記ユーザの脚先を覆う底部と、
を備え、
前記本体は、前記布帛の織り目の方向が、ユーザの幅方向及び身長方向に対し斜めの方向となると共に、前記織目の方向に沿ってキルティングが施されてなり、
前記底部は、前記布帛の織り目の方向が、ユーザの幅方向及び前後方向に対し斜めの方向となると共に、前記織目の方向に沿ってキルティングが施されてなる布帛製品。
【請求項２】
前記布帛片は、表側となる表布帛片と、裏側となる裏布帛片を含み、前記表布帛片と裏布帛片との間に、表面に毛細繊維を有する毛細繊維体を介在させてなる請求項１記載の布帛製品。
【請求項３】
前記布帛片は、コーティング処理が施されてなる請求項１または請求項２記載の布帛製品。
【請求項４】
前記布帛は、シレ加工が施されている請求項１または請求項２記載の布帛製品。
【発明の詳細な説明】
【技術分野】
【０００１】
本発明は、例えば、寝袋、衣類、寝袋カバー等の布帛製品の改良に関する。
【背景技術】
【０００２】
従来から、布帛製品の一例として寝袋がある。この寝袋として、例えば、使用者の体を収納する長尺な内室を画成し、この内室を外気に対して保温する保温手段と、前記保温手段に設けられた前記内室への出入口と、前記保温手段を内室断面積を狭める方向へ圧縮する弾性手段と、を備え、前記弾性手段は、前記保温手段の全長にわたり所定間隔で配設されているものがある。（例えば、特許文献１参照）。
【０００３】
また、内張布、外張布及び当該内外張布間に充填された保温材を有すると共に、使用者の体を収納する長尺な室内を形成し、この室内を外気に対して保温する寝袋本体と、前記寝袋本体に設けられた前記室内への出入口とを備え、前記寝袋本体は、使用者の体格に適合する所定の規定幅よりも広い幅の内張布及び外張布を有し、かつ弾性手段を適宜位置に配することにより、不使用時に前記規定幅を呈するように収縮されると共に、前記規定幅と前記広い幅の間を拡縮可能に構成された寝袋も紹介されている。（例えば、特許文献２参照）。
【特許文献１】実用新案登録第２０７９８６３号公報
【特許文献２】特開２００１−４６２０５号公報
【発明の開示】
【発明が解決しようとする課題】
【０００４】
前述した従来の寝袋は、ユーザが着用した際に、適度にユーザの体にフィットすると共に、寝返りを打ったり、寝袋内での着替えや胡座をかく等の動作に対応できるように、幅方向にギャザーを設け、当該寝袋が幅方向に伸縮するようにしている。このため、寝袋を構成するための生地（布帛）が多く必要になり、重量や嵩が増加して携帯に不便であると共に、保管時等に広いスペースが必要となる。
【０００５】
本発明は、このような事情に鑑みなされたものであり、従来のように布帛片を伸縮させるため、布帛を多く取り、ギャザーを付ける、伸縮させるためのゴム糸を配設する等、重量や嵩を増加させることなく、布帛片を布帛製品の縦方向及び横方向に伸ばすことができる布帛製品を提供することを目的とする。
【課題を解決するための手段】
【０００６】
この目的を達成するため本発明は、布帛を所定の形状に裁断した布帛片を縫製してなる布帛製品であって、前記布帛片は、前記布帛の織目の方向が、当該布帛片の縦方向に対し斜めの方向となる布帛製品を提供するものである。
【０００７】
この構成を備えた布帛製品は、前記布帛の織目の方向が前記布帛片の縦方向（横方向）に対し斜めの方向となっているため、前記布帛の織目の方向が前記布帛片の縦方向（横方向）に対し平行である場合に比べ、布帛片の縦方向及び横方向に伸ばすことができる。したがって、布帛製品を着用した場合は、縦方向及び横方向に動き易くなり、布帛製品の中に物品を入れた場合は、縦方向及び横方向に内部空間を拡げやすくすることができる。また、前記伸ばすための力から解放された際には、元の状態に戻ることができる。
【０００８】
本発明の一実施態様として、前記布帛片は、例えば、寝袋や衣服等の身頃を構成することができる。例えば、前記布帛片が、寝袋の身頃を構成する場合は、当該寝袋は、ユーザが着用した際に、縦方向及び横方向（すなわち、ユーザの身長方向及び幅方向）に伸び易い構造となるため、寝返りや寝袋の中での着替え、胡座をかく等、ユーザの動きに応じて変形することができる。また、前記布帛片が、衣服の身頃を構成する場合も、ユーザの縦方向及び横方向（身長方向及び幅方向）に伸び易い構造となるため、ユーザの体に適度にフィットさせることができると共に、ユーザの動きに合わせ易くすることができる。
【０００９】
また、本発明にかかる布帛製品は、前記布帛片が、表側となる表布帛片と、裏側となる裏布帛片を含み、前記表布帛片と裏布帛片との間に、表面に毛細繊維を有する毛細繊維体を介在させた構成を備えることもできる。前記毛細繊維体としては、例えば、羽毛、わた等が挙げられる。
【００１０】
そしてまた、本発明にかかる布帛製品は、前記布帛の織目方向に沿って縫製した構成を備えることもできる。このようにすることで、布帛片が伸びようとした際に、縫い目がこの伸びを阻止することを防止することができる。また、前記縫い目が、布帛片の伸びに追従するため、前記伸びによって布帛片の織目がずれることを抑制することができる。したがって、前記利点に加え、例えば、前記表布帛片と裏布帛片との間に毛細繊維体を介在させた場合であっても、織目部分や縫い目部分から毛細繊維体（羽毛や、わた等）が抜け落ちることを防止することができる。
【００１１】
さらにまた、本発明にかかる布帛製品は、布帛片にコーティング処理を施してもよい。このコーティング処理としては、例えば、アクリルコーティング、ポリウレタンコーティング、ＰＶＣコーティング、シリコンコーティング、ゴムコーティング等、様々な樹脂コーティングを挙げることができる。また、布帛片には、ラミネーション処理を施してもよい。このようにすることで、前記利点に加え、織目部分や縫い目部分から毛細繊維体（羽毛や、わた等）が抜け落ちることを、より一層確実に防止することができる。
【００１２】
また、本発明にかかる布帛製品は、布帛にシレ加工を施してもよい。このようにすることで、前記利点に加え、軽くて丈夫であり、織目部分や縫い目部分から毛細繊維体（羽毛や、わた等）が抜け落ちることを防止することができる。
【００１３】
なお、寝袋製品の特性として毛細繊維体の嵩高さを保つために表布帛もしくは裏布帛に適度な通気性を有する必要がある。一方でその通気性が高すぎる場合は毛細繊維体が抜け落ちることがあるので通気性は適度に保たれる必要がある。そのため、現在の市場で使用されている表布帛及び裏布帛にはシレ加工や通気性をもったコーティング加工がなされている。一般に快適に使用するために寝袋製品はストレッチすることが望まれているが、通常ストレッチ素材として使用される布帛製品（たとえばポリウレタンカバリング糸を使用した布帛製品）をそのまま使用した場合、前述した通気性が一定に保たれなくなり毛細繊維体が抜け落ちてしまうことが多い。また、ポリウレタンカバリング糸を使用した場合、重量も増える。また、布帛を多く取りギャザーをつけるなどの措置がされているものがあるが、こちらも布帛を多くとることにより重量や嵩が増加してしまう。
【００１４】
本発明はバイアス方向に生地をとることにより、布帛使用量を増やすことなく（重量や嵩を増加させることなく）ストレッチを得ることができ、かつ、保温材である毛細繊維体の抜け出しを十分に抑えることができるものである。
【発明の効果】
【００１５】
本発明にかかる布帛製品は、布帛の織目の方向が、布帛片の縦方向（横方向）に対し斜めの方向となっているため、従来のように布帛片を伸縮させるため、布帛を多く取り（余分な布帛を使用し）、ギャザーを付ける等、重量や嵩を増加させることなく、布帛片を布帛製品の縦方向及び横方向に伸ばすことができる布帛製品を提供することができる。
【発明を実施するための最良の形態】
【００１６】
次に、本発明の好適な実施の形態にかかる布帛製品について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１７】
図１は、本発明の実施の形態にかかる布帛製品の平面図、図２は、図１に示す布帛製品の一部を底面側から見た斜視図、図３は、図１に示す布帛製品をユーザが着用し、仰臥した状態を示す平面図、図４は、図１に示す布帛製品をユーザが着用し、胡座をかいた状態を示す斜視図、図５は、図１に示す布帛製品の縦方向及び横方向と、布帛の織目の方向を拡大して示す平面図、図６は、図１に示すVI−VI線に沿った断面図である。なお、前記各図では、説明を判り易くするため、各部材の厚さやサイズ、拡大・縮小率等は、実際のものとは一致させずに記載した。
【００１８】
図１〜図６に示すように、本実施の形態にかかる布帛製品１は、例えば、寝袋であり、ユーザ１００の身体を収納する長尺な室内を形成し、この室内を外気に対して保温する本体２と、本体２に配設され、前記室内への出入口を外側及び内側の両方から開閉可能である開閉チャック３と、ユーザ１００が着用した際に、ユーザ１００の頭を覆うと共に顔を露出させる開口４が形成されたフード部５と、ユーザ１００が着用した際に、ユーザ１００の脚先を覆う底部６と、を備えて構成されている。
【００１９】
本体２、フード部５及び底部６は、図６に示すように、布帛製品１の表側となる表布帛片１１と、裏側（中側）となる裏布帛片１２と、これら表布帛片１１と裏布帛片１２とで囲われた空隙内に充填された羽毛や、わた等の毛細繊維体１３から構成されている。
【００２０】
本体２及びフード部５を構成する表布帛片１１及び裏布帛片１２は、布帛製品１をユーザ１００が着用した際に、これらの織目２００の方向が、図５に示すように、ユーザ１００の身長方向（縦方向）及び幅方向（横方向）に対し斜めの方向（本実施の形態では、約４５度）となるように配置されている。このため、本体２及びフード部５は、ユーザ１００の身長方向及び幅方向に伸び易くなるため、表布帛片１１及び裏布帛片１２を伸縮させるため、布帛を多く取り、ギャザーを付ける等、重量や嵩を増加させる必要がない。したがって、軽量且つコンパクトで、携帯や保管に便利であると共に、布帛の使用量を減らすことができるため、価格を抑えることもできる。
【００２１】
底部６は、本体２のフード部５とは反対側の端部に位置しており、底部６を構成する表布帛片１１及び裏布帛片１２は、布帛製品１をユーザ１００が着用した際に、これらの織目２００（図５参照）の方向が、図２に示すユーザ１００の幅方向及び前後方向に対し、斜めの方向（本実施の形態では、約４５度）となるように配置されている。このため、底部６は、ユーザ１００の幅方向及び前後方向に伸び易くなっている。
【００２２】
また、表布帛片１１、毛細繊維体１３及び裏布帛片１２からなる積層体には、キルティングを施してもよい。この場合、表布帛片１１及び裏布帛片１２の織目２００に沿ってキルティングをかけることで、表布帛片１１及び裏布帛片１２が伸びる際に、キルティング（縫い目）がこの伸びを阻止することを防止することができる。また、毛細繊維体１３が、キルティングの針穴部分から抜け落ちることを防止することもできる。
【００２３】
本体２とフード部５との境界部分には、図１及び図３に示すように、紐（ドローコード）１５が首囲に沿って配設されており、この紐１５を絞ることによって、布帛製品１をユーザの首にフィットさせることができ、首から暖かさが逃げることを防止することができるようになっている。また、この紐１５の両端には、紐１５の絞り状態を維持し固定するストッパ２１が各々設けられている。
【００２４】
なお、この布帛製品１は、フード部５の開口４の近傍に、図示しない紐（ドローコード）を配設し、この紐を絞ることによって、開口４を縮小させ、ユーザの輪郭付近にフード部５を密着させるようにしてもよい。
【００２５】
この構成を備えた布帛製品１は、前述したように、ユーザ１００が着用した際に、本体２及びフード部５がユーザ１００の身長方向及び幅方向に伸びるため、図３に示すようにユーザ１００が仰臥した際には、窮屈感がなく、寝返りを打つ動作等にも支障を来すことがない。したがって、快適に安眠することができる。また、布帛製品１の中で着替えを行うこともできる。また、図４に示すように、ユーザ１００が胡座をかく等、所望の動作を楽に行うことができる。なお、この胡座をかく動作等は、フード部５を被った状態で行うこともできる。
【００２６】
なお、表布帛片１１及び裏布帛片１２は、布帛（織物）であれば、任意の種類のものを使用可能である。また、布帛製品１を、表布帛片１１、毛細繊維体１３及び裏布帛片１２からなる積層体によって形成する場合、シレ加工や、コーティング処理が施された布帛（表布帛片１１及び裏布帛片１２）を使用することで、毛細繊維体１３が縫い目等から外部に抜け落ちることを防止することができる。
【００２７】
また、本実施の形態では、布帛製品１として、寝袋を例に取って説明したが、これに限らず、布帛製品１は、衣類や、寝袋のカバー等、物品を収納する袋類等、特に限定されるものではない。したがって、各布帛製品を構成する布帛片は、布帛の織目の方向が、当該布帛片の縦方向（あるいは横方向）に対し斜めの方向となるよう配置されていればよい。
【００２８】
さらにまた、本実施の形態では、本体２及びフード部５を構成する表布帛片１１及び裏布帛片１２の織目２００の方向を、ユーザ１００の身長方向（縦方向）及び幅方向（横方向）に対し約４５度に傾斜させ、底部６を構成する表布帛片１１及び裏布帛片１２の織目２００の方向を、ユーザ１００の幅方向及び前後方向に対し約４５度に傾斜させた場合について説明したが、これに限らず、前記傾斜角度は、所望により決定することができる。
【００２９】
そしてまた、本実施の形態では、布帛製品１を表布帛片１１、毛細繊維体１３及び裏布帛片１２からなる積層体によって形成した場合について説明したが、これに限らず、布帛製品１は、一重の布帛片を縫製して構成してもよい。
【図面の簡単な説明】
【００３０】
【図１】本発明の実施の形態にかかる布帛製品の平面図である。
【図２】図１に示す布帛製品の一部を底面側から見た斜視図である。
【図３】図１に示す布帛製品をユーザが着用し、仰臥した状態を示す平面図である。
【図４】図１に示す布帛製品をユーザが着用し、胡座をかいた状態を示す斜視図である。
【図５】図１に示す布帛製品の縦方向及び横方向と、布帛の織目の方向を拡大して示す平面図である。
【図６】図１に示すVI−VI線に沿った断面図である。
【符号の説明】
【００３１】
１    布帛製品
２    本体
３    開閉チャック
４    開口
５    フード部
６    底部
１１    表布帛片
１２    裏布帛片
１３    毛細繊維体
１００    ユーザ
２００    織目
【図１】
0004550906.tif 000002
【図２】
0004550906.tif 000003
【図３】
0004550906.tif 000004
【図４】
0004550906.tif 000005
【図５】
0004550906.tif 000006
【図６】
0004550906.tif 000007